(57)【要約】【課題】犯人の動きを抑えるのみならず、犯人が手に持つ凶器を払い落すなどにより犯人を完全に無力化することができるサスマタを提供する。【解決手段】サスマタの柄に着脱自在に警棒を内包する。また、この警棒は、端部に錘を有するワイヤロープを備える。二股を形成する双方の腕には、互いに対向する爪を備える。さらに、爪に対して加えられた二股の外側から内側に向かう外力に応じて爪の一部または全部を腕の内部に収納し、爪に対する前記外力が無くなると爪を再び元の位置に復帰させる。【選択図】図１
0003127958.tif 000002
【実用新案登録請求の範囲】
【請求項１】
柄の先端部付近が二股に形成されたサスマタにおいて、
前記柄には着脱自在に警棒が内包された
ことを特徴とするサスマタ。
【請求項２】
前記警棒は、端部に錘を有するワイヤロープを備えた請求項１記載のサスマタ。
【請求項３】
前記警棒には、半球状の突起が可動的に設けられ、
前記柄には、この突起と勘合する孔が設けられ、
前記警棒に所定の抜去力が加わることにより前記突起の球面と前記孔の縁とが接触して前記突起が前記警棒内に埋没する手段を備えた
請求項１記載のサスマタ。
【請求項４】
前記二股を形成する双方の腕には、互いに対向する爪を備えた請求項１記載のサスマタ。
【請求項５】
前記爪に対して加えられた前記二股の外側から内側に向かう外力に応じて前記爪の一部または全部を前記腕の内部に収納する手段と、
前記爪に対する前記外力が無くなると前記爪を再び元の位置に復帰させる手段と
を備えた請求項５記載のサスマタ。
【請求項６】
前記警棒は、前記柄に内包された状態でその端部の一部が前記柄から露出され、
この露出された部分にリング状形成物を備えた
請求項１記載のサスマタ。
【考案の詳細な説明】
【技術分野】
【０００１】
本考案は、防犯に利用する。特に、幼稚園や学校あるいは職場などで利用するのに適する。
【背景技術】
【０００２】
銀行や郵便局など、多額の現金を取り扱い、犯罪が頻発する特定の場所における防犯には、専属の警備員の常駐や警察官による巡回の強化などの対策をとることができる。
【０００３】
一方、ここ数年、幼稚園や学校に不審者が侵入し、凶器を使って生徒が傷害に遭うといった予期せぬ犯罪が増えている。
【０００４】
幼稚園や学校などは、銀行や郵便局などと比較して数が多く、また、犯罪が発生する頻度は低いため、幼稚園や学校などに専属の警備員を常駐させたり、警察官による巡回を強化させるなどの対策をとることが難しい。
【０００５】
そこで、自衛手段として、素人でも比較的安全かつ確実に犯人を取り押さえることができる器具を幼稚園や学校などに常備しておくことが推奨されている。そのような器具の一つにサスマタがある。
【０００６】
サスマタは、長い柄の先が二股に分かれた器具で、犯人の持つ刃物などの凶器が届かない範囲から犯人の手足あるいは首や胴を押さえ込むことができるため、素人であっても比較的扱い易い防犯器具である。
【考案の開示】
【考案が解決しようとする課題】
【０００７】
前述したように、サスマタは、素人であっても比較的扱い易い防犯器具である。しかしながら、本来、サスマタは、犯人捕捉用の器具であり、犯人の攻撃に対して積極的に防衛する機能は有していない。すなわち、犯人の動きを抑えることはできても、犯人が手に持つ凶器を払い落とすような機能は有しておらず、犯人を完全に無力化することは困難である。
【０００８】
サスマタで捕捉された犯人が未だ凶器を手に持ったままの状態であれば、犯人を取り押さえることはきわめて危険であり、サスマタで犯人を捕捉しているにも関わらず、それ以上の措置をとることができない。
【０００９】
したがって、サスマタの他にも犯人が手に持つ凶器を払い落すことのできる何らかの器具を準備しておくことが必要である。
【００１０】
本考案は、このような背景の下に行われたものであって、犯人の動きを抑えるのみならず、犯人が手に持つ凶器を払い落すなどにより犯人を完全に無力化することができるサスマタを提供することを目的とする。
【課題を解決するための手段】
【００１１】
本考案は、柄の先端部付近が二股に形成されたサスマタであって、本考案の特徴とするところは、前記柄には着脱自在に警棒が内包されたところにある。
【００１２】
これによれば、サスマタに内包された警棒を引き抜いて用いることにより、犯人が手に持つ凶器を払い落すための武器とすることができる。
【００１３】
また、前記警棒は、端部に錘を有するワイヤロープを備えることが望ましい。これによれば、警棒を鞭のようにして用いることができるため、女性あるいは高齢者などのように、若い男性と比較して運動能力が必ずしも高くない者が扱っても前記錘に大きな運動エネルギを与えることができ、効果的な防衛を行うことが期待できる。
【００１４】
また、前記警棒には、半球状の突起が可動的に設けられ、前記柄には、この突起と勘合する孔が設けられ、前記警棒に所定の抜去力が加わることにより前記突起の球面と前記孔の縁とが接触して前記突起が前記警棒内に埋没する手段を備えることが望ましい。
【００１５】
これによれば、サスマタから警棒が不用意に抜けることはなく、サスマタの扱い者がサスマタから警棒を引き抜こうとしたときにだけ、サスマタから警棒を引き抜くことができる。
【００１６】
また、前記二股を形成する双方の腕には、互いに対向する爪を備えることが望ましい。さらに、前記爪に対して加えられた前記二股の外側から内側に向かう外力に応じて前記爪の一部または全部を前記腕の内部に収納する手段と、前記爪に対する前記外力が無くなると前記爪を再び元の位置に復帰させる手段とを備えることが望ましい。
【００１７】
これによれば、サスマタの内側に、犯人の手足あるいは首や胴がいったん入ったら、もはや犯人がこれを抜き取ることを困難とすることができるため、サスマタの有する犯人捕捉能力を向上させることができる。
【００１８】
また、前記警棒は、前記柄に内包された状態でその端部の一部が前記柄から露出され、この露出された部分にリング状形成物を備えることが望ましい。
【００１９】
これによれば、このリング状形成物にロープ等を通し、警棒が扱い者の手から離れたり、犯人に奪われたりすることを回避することができる。
【考案の効果】
【００２０】
本考案によれば、犯人の動きを抑えるのみならず、犯人が手に持つ凶器を払い落すなどにより犯人を完全に無力化することができるサスマタを実現できる。
【考案を実施するための最良の形態】
【００２１】
本考案のサスマタの実施例を図１〜図５を参照して説明する。図１は本実施例のサスマタの全体構成図である。図２は本実施例のサスマタに警棒が内包されている様子を示す図である。図３は本実施例のサスマタに内包されている警棒の構成図である。
【００２２】
本実施例は、図１または図２に示すように、柄２の先端部付近が二股部１に形成されたサスマタあって、柄２には着脱自在に警棒３が内包されたことを特徴とする。警棒３は、図３に示すように、端部に錘５を有するワイヤロープ４を備える。
【００２３】
警棒３を柄２に係止させる構造を図４に示す。警棒３には、半球状の突起６が可動的に設けられ、柄２には、この突起６と勘合する孔７が設けられ、警棒３に所定の抜去力が加わることにより突起６の球面と孔７の縁とが接触して突起６が警棒内に埋没することにより、警棒３を柄２から引き抜くことができる。
【００２４】
二股部１の爪８について図５〜図７を参照して説明する。図５に示すように、二股部１の双方の腕１０には、互いに対向する爪８を備える。爪８に対して加えられた二股部１の外側から内側に向かう外力に応じて爪８の一部または全部を腕１０の内部に収納するための収納溝１１と、爪８に対する前記外力が無くなると爪８を再び元の位置に復帰させるバネ９とが設けられている。
【００２５】
バネ９の構造を図６および図７に示す。バネ９は図６に示すように、爪８の切欠き部分と腕１０の内壁との間に設けられ、ビス１３により取り付けられている。バネ９は、図７に示すように、コイルバネであり、その両端部が伸張されて爪８の切欠き部分と腕１０の内壁とに接触している。
【００２６】
また、警棒３は、柄２に内包された状態でその端部の一部が柄２から露出され、この露出された部分にリング１２を備える。リング１２には、例えば、ロープを通し、扱い者と警棒３とを結び付けておくことができる。
【産業上の利用可能性】
【００２７】
本考案は、幼稚園や学校あるいは職場などに常備し、防犯に寄与することができる。特に、警棒を用いた積極的な防衛を可能とし、従来のサスマタと比較してさらに大きな防犯効果を得ることができる。
【図面の簡単な説明】
【００２８】
【図１】本実施例のサスマタの全体構成図。
【図２】本実施例のサスマタに警棒が内包された様子を示す図。
【図３】本実施例の警棒の構成図。
【図４】本実施例の警棒を柄に系止させる構造を示す図。
【図５】本実施例のサスマタの爪を説明するための図。
【図６】爪のバネの構造図。
【図７】バネの構造図。
【符号の説明】
【００２９】
１  二股部
２  柄
３  警棒
４  ワイヤロープ
５  錘
６  突起
７  孔
８  爪
９  バネ
１０  腕
１１  収納溝
１２  リング
１３  ビス
【図１】
0003127958.tif 000003
【図２】
0003127958.tif 000004
【図３】
0003127958.tif 000005
【図４】
0003127958.tif 000006
【図５】
0003127958.tif 000007
【図６】
0003127958.tif 000008
【図７】
0003127958.tif 000009
【手続補正書】
【提出日】平成18年10月19日(2006.10.19)
【手続補正１】
【補正対象書類名】実用新案登録請求の範囲
【補正対象項目名】全文
【補正方法】変更
【補正の内容】
【実用新案登録請求の範囲】
【請求項１】
柄の先端部付近が二股に形成されたサスマタにおいて、
前記柄には着脱自在に警棒が内包された
ことを特徴とするサスマタ。
【請求項２】
前記警棒は、端部に錘を有するワイヤロープを備えた請求項１記載のサスマタ。
【請求項３】
前記警棒には、半球状の突起が可動的に設けられ、
前記柄には、この突起と嵌合する孔が設けられ、
前記警棒に所定の抜去力が加わることにより前記突起の球面と前記孔の縁とが接触して前記突起が前記警棒内に埋没する手段を備えた
請求項１記載のサスマタ。
【請求項４】
前記二股を形成する双方の腕には、互いに対向する爪を備えた請求項１記載のサスマタ。
【請求項５】
前記爪に対して加えられた前記二股の外側から内側に向かう外力に応じて前記爪の一部または全部を前記腕の内部に収納する手段と、
前記爪に対する前記外力が無くなると前記爪を再び元の位置に復帰させる手段と
を備えた請求項４記載のサスマタ。
【請求項６】
前記警棒は、前記柄に内包された状態でその端部の一部が前記柄から露出され、
この露出された部分にリング状形成物を備えた
請求項１記載のサスマタ。
【手続補正２】
【補正対象書類名】明細書
【補正対象項目名】００２３
【補正方法】変更
【補正の内容】
【００２３】
警棒３を柄２に係止させる構造を図４に示す。警棒３には、半球状の突起６が可動的に設けられ、柄２には、この突起６と嵌合する孔７が設けられ、警棒３に所定の抜去力が加わることにより突起６の球面と孔７の縁とが接触して突起６が警棒内に埋没することにより、警棒３を柄２から引き抜くことができる。